(57)【要約】【課題】画像形成装置における各種設定内容の確認や変更を容易にするユーザインターフェイスを実現することである。【解決手段】本発明の画像形成装置を適用した複写機Ｃは、画像形成条件（コピー枚数、コピー濃度、倍率等）の音声ガイダンス中に、キー入力部６８の変更キーが押下されると、当該設定項目の設定内容の変更を行うための画面をＬＣＤ６７に表示する。また、音声ガイダンス中にＮＥＸＴキーが押下されると、音声出力順で次の画像形成条件の音声ガイダンスに切り替わる。更に、音声ガイダンス中にＢＡＣＫキーが押下されると、音声出力順で１つ前の画像形成条件の音声ガイダンスに切り替わる。音声ガイダンスが終了すると、タイマ部７１によりタイマがセットされ、タイムアップと同時に区切り音が出力され、音声出力順で次の画像形成条件の音声出力が開始される。【選択図】　　　　　　図２
2004070114.tif 000002
【特許請求の範囲】
【請求項１】
画像形成に関する条件を設定する設定手段と、前記設定手段により設定された画像形成条件に関する情報を表示する表示手段と、を備える画像形成装置において、
前記設定手段により設定された画像形成条件を音声により出力する音声出力手段と、
前記設定手段により設定された画像形成条件の変更を指示する変更指示手段と、を備え、
前記音声出力手段により画像形成条件の音声出力が行われている最中又は前記音声出力手段による画像形成条件の音声出力が終了してから所定時間内の何れかの場合に、前記変更指示手段による変更指示があると、前記表示手段は、当該画像形成条件の変更を行うための画面を表示することを特徴とする画像形成装置。
【請求項２】
前記設定手段は、画像形成に関する複数の条件を設定し、
前記音声出力手段は、前記設定手段により設定された複数の画像形成条件の各々を、所定の順番で音声出力し、
音声出力順で次の画像形成条件の音声出力を指示する出力指示手段を備え、
前記音声出力手段による画像形成条件の音声出力中に、前記出力指示手段による指示があると、前記音声出力手段は、音声出力中の画像形成条件から、音声出力順が次の画像形成条件に、音声出力を切り替えることを特徴とする請求項１記載の画像形成装置。
【請求項３】
前記設定手段は、画像形成に関する複数の条件を設定し、
前記音声出力手段は、前記設定手段により設定された複数の画像形成条件の各々を、所定の順番で音声出力し、
音声出力順で１つ前の画像形成条件の音声出力を指示する出力指示手段を備え、
前記音声出力手段による画像形成条件の音声出力中に、前記出力指示手段による指示があると、前記音声出力手段は、音声出力中の画像形成条件から、音声出力順が１つ前の画像形成条件に、音声出力を切り替えることを特徴とする請求項１記載の画像形成装置。
【請求項４】
前記音声出力手段による画像形成条件の音声出力が終了した後に、当該画像形成条件と他の画像形成条件との区切りを示す音声を出力する区切り音出力手段を備え、
前記音声出力手段は、前記区切り音出力手段による区切り音出力後に、音声出力順で次の画像形成条件の音声出力を開始することを特徴とする請求項２又は３記載の画像形成装置。
【請求項５】
前記音声出力手段による画像形成条件の音声出力が終了した後に、所定時間計時する計時手段を備え、
前記音声出力手段は、前記計時手段による計時終了後に、音声出力順で次の画像形成条件の音声出力を開始することを特徴とする請求項２又は３記載の画像形成装置。
【請求項６】
前記計時手段による計時終了前に、前記変更指示手段による変更指示があると、前記表示手段は、前記音声出力が終了した画像形成条件の変更を行うための画面を表示することを特徴とする請求項５記載の画像形成装置。
【発明の詳細な説明】
【０００１】
【発明の属する技術分野】
本発明は、画像形成装置に関する。
【０００２】
【従来の技術】
近年、複写機やプリンタ等の画像形成装置の多機能化に伴い、一画像の出力に際して、設定が必要な項目が多岐にわたるようになってきた。このような設定項目としては、出力部数、濃度、コピーモード（片面／両面）、給紙トレイの選択、倍率等の各種の画像形成条件がある。最近では、画像形成装置における操作パネル（タッチパネル）の大型化が進んでおり、上述のような設定は、操作パネル上に表示された設定画面で行われることが多い。
【０００３】
例えば、特開２０００−９４７８９号には、操作パネル上に、画像形成装置における各種設定内容をチェックするための画面（チェック画面）を表示し、このチェック画面上で、ユーザ所望の設定項目が指定されると、該当する設定画面を呼び出して、設定内容の確認又は変更を行うことが可能な技術が開示されている。
【０００４】
【発明が解決しようとする課題】
しかしながら、上述の従来の画像形成装置においては、設定項目が多いため、全ての設定項目を操作パネルの一画面に入れようとすると、操作パネル上に表示される文字は小さくなり、老人や目の不自由な者にとっては、設定内容の確認や変更を行うことが困難であるという問題があった。この問題を回避するために、操作パネル上に表示する文字を大きくすると、設定内容の確認や変更のために、画面をいくつも切り替えなければならず、画面の切り替え操作は、ユーザにとって面倒であるという問題があった。特に、度重なる画面の切り替え操作は、身体の不自由な人間にとっては困難であるという問題があった。また、設定の目視による確認や変更が必要な場合の操作性について、全盲の方に対する配慮が充分になされていなかった。
【０００５】
本発明の課題は、画像形成装置における各種設定内容の確認や変更を容易にするユーザインターフェイスを実現することである。
【０００６】
【課題を解決するための手段】
請求項１記載の発明は、
画像形成に関する条件を設定する設定手段と、前記設定手段により設定された画像形成条件に関する情報を表示する表示手段と、を備える画像形成装置において、
前記設定手段により設定された画像形成条件を音声により出力する音声出力手段と、
前記設定手段により設定された画像形成条件の変更を指示する変更指示手段と、を備え、
前記音声出力手段により画像形成条件の音声出力が行われている最中又は前記音声出力手段による画像形成条件の音声出力が終了してから所定時間内の何れかの場合に、前記変更指示手段による変更指示があると、前記表示手段は、当該画像形成条件の変更を行うための画面を表示することを特徴としている。
【０００７】
この請求項１記載の発明によれば、画像形成条件を音声にて出力することにより、目の不自由な方でも、容易に画像形成条件を確認することができる。また、画像形成条件の音声出力が行われている最中又は画像形成条件の音声出力が終了してから所定時間内の何れかの場合に、変更指示手段による変更指示を行うだけで、自動的に当該画像形成条件の変更を行うための画面が表示されることにより、画像形成条件の変更を行うために、ユーザがわざわざ表示画面の切り替え等を行う必要がなくなり、操作性が向上する。
【０００８】
請求項２記載の発明は、請求項１記載の発明において、
前記設定手段は、画像形成に関する複数の条件を設定し、
前記音声出力手段は、前記設定手段により設定された複数の画像形成条件の各々を、所定の順番で音声出力し、
音声出力順で次の画像形成条件の音声出力を指示する出力指示手段を備え、
前記音声出力手段による画像形成条件の音声出力中に、前記出力指示手段による指示があると、前記音声出力手段は、音声出力中の画像形成条件から、音声出力順が次の画像形成条件に、音声出力を切り替えることを特徴としている。
【０００９】
請求項２記載の発明によれば、画像形成条件の音声出力中に、出力指示手段による指示があると、音声出力順で次の画像形成条件の音声出力が開始されるため、画像形成条件の変更等に要する時間を短縮することができる。
【００１０】
請求項３記載の発明は、請求項１記載の発明において、
前記設定手段は、画像形成に関する複数の条件を設定し、
前記音声出力手段は、前記設定手段により設定された複数の画像形成条件の各々を、所定の順番で音声出力し、
音声出力順で１つ前の画像形成条件の音声出力を指示する出力指示手段を備え、
前記音声出力手段による画像形成条件の音声出力中に、前記出力指示手段による指示があると、前記音声出力手段は、音声出力中の画像形成条件から、音声出力順が１つ前の画像形成条件に、音声出力を切り替えることを特徴としている。
【００１１】
請求項３記載の発明によれば、画像形成条件の音声出力中に、出力指示手段による指示があると、音声出力順で１つ前の画像形成条件の音声出力が開始されるため、直前に音声出力された画像形成条件の内容を聞き逃したり、変更指示手段による変更指示が遅れたりしても、直前に音声出力された画像形成条件の内容を再度聞いたり、変更を行うことができる。
【００１２】
請求項４記載の発明は、請求項２又は３記載の発明において、
前記音声出力手段による画像形成条件の音声出力が終了した後に、当該画像形成条件と他の画像形成条件との区切りを示す音声を出力する区切り音出力手段を備え、
前記音声出力手段は、前記区切り音出力手段による区切り音出力後に、音声出力順で次の画像形成条件の音声出力を開始することを特徴としている。
【００１３】
請求項４記載の発明によれば、音声出力が終了した画像形成条件と、次に音声出力される画像形成条件の間の区切りを示す区切り音を出力することにより、ユーザにとって、画像形成条件の確認や変更が、より行い易くなる。
【００１４】
請求項５記載の発明は、請求項２又は３記載の発明において、
前記音声出力手段による画像形成条件の音声出力が終了した後に、所定時間計時する計時手段を備え、
前記音声出力手段は、前記計時手段による計時終了後に、音声出力順で次の画像形成条件の音声出力を開始することを特徴としている。
【００１５】
請求項５記載の発明によれば、音声出力手段による画像形成条件の音声出力が終了した後に、所定時間計時する計時手段を備えることにより、ユーザは、この所定時間を利用して、当該画像形成条件に変更が必要か否か等の様々な判断を下すことができる。
【００１６】
請求項６記載の発明は、請求項５記載の発明において、
前記計時手段による計時終了前に、前記変更指示手段による変更指示があると、前記表示手段は、前記音声出力が終了した画像形成条件の変更を行うための画面を表示することを特徴としている。
【００１７】
請求項６記載の発明によれば、画像形成条件の音声出力が終了した後であっても、計時手段による計時終了前であれば、当該画像形成条件の設定を変更することができ、画像形成条件の変更における利便性を向上させることができる。
【００１８】
【発明の実施の形態】
以下、図を参照して本発明の実施の形態を詳細に説明する。
ここで、図２に示した本実施の形態における複写機Ｃと、特許請求の範囲における画像形成装置との対応関係を明示する。図２のタッチパネル６５は、設定手段としての機能を有し、ＬＣＤ６７は、表示手段としての機能を有する。また、キー入力部６８は、変更指示手段及び出力指示手段としての機能を有する。更に、音声出力部７０は、音声出力手段及び区切り音出力手段としての機能を有する。また、タイマ部７１は、計時手段としての機能を有する。
【００１９】
まず、構成を説明する。
図１は、本発明の画像形成装置を適用した複写機Ｃの断面図である。図１に示すように、複写機Ｃは、画像形成部１０、画像読取部２０、後処理部３０等により構成される。
【００２０】
画像形成部１０は、電子写真方式により記録紙上に画像を形成するためのユニットで、感光体１１上に、帯電、露光、現像によりトナー像を形成し、感光体１１上に形成されたトナー像を記録紙に転写する像形成ユニット１２、記録紙を収納する給紙部１３、両面画像形成用の記録紙反転部１４及び記録紙上のトナー像を定着する定着器１５を備える。
【００２１】
画像読取部２０は、原稿の画像を読み取って画像データを出力するためのユニットで、原稿を載置するための原稿給紙台２１、原稿を搬送し、読取位置を形成するプラテンローラ２２、読取済み原稿が載置される原稿排紙台２３、画像光を受光して電気信号に変換するイメージセンサ２４を備える。
【００２２】
後処理部３０は、画像形成部１０から排出された記録紙に対してソーティング、ステープリング、パンチング等の後処理を行う。
【００２３】
図２は、本実施の形態の複写機Ｃ内部の電気的構成を示すブロック図である。複写機Ｃは、図２に示すように、本体部５及び操作／音声部６により構成される。
【００２４】
本体部５は、ＣＰＵ５０、ＲＯＭ５１、ＲＡＭ５２、不揮発ＲＡＭ５３、入出力ポート５４、シリアル通信制御ユニット５５、画像読取部５６、画像形成部５７により構成される。
【００２５】
本体部５において、ＣＰＵ（Ｃｅｎｔｒａｌ　Ｐｒｏｃｅｓｓｉｎｇ　Ｕｎｉｔ）５０は、ＲＯＭ５１に格納された複写機用の制御プログラムに従って、複写機Ｃの各部を制御する。ＲＯＭ（Ｒｅａｄ　Ｏｎｌｙ　Ｍｅｍｏｒｙ）５１は、ＣＰＵ５０により実行される各種制御プログラムを格納する。
【００２６】
ＲＡＭ（Ｒａｎｄｏｍ　Ａｃｃｅｓｓ　Ｍｅｍｏｒｙ）５２は、ＣＰＵ５０により実行される各種制御プログラム等を、ＲＡＭ５２内のプログラム格納領域に展開するとともに、入力データや、上記各種制御プログラムが実行される際に生じる処理結果等をワークエリアに一時的に格納する。不揮発ＲＡＭ５３は、複写機Ｃの各種設定パラメータを格納している。
【００２７】
入出力ポート５４は、ＣＰＵ５０が周辺デバイスとの間で各種データのやり取りを行ったり、周辺デバイスのステータスをＣＰＵ５０が読み取ったりするためのポートである。シリアル通信制御ユニット５５は、本体部５と操作／音声部６との間の通信を制御する。画像読取部５６及び画像形成部５７は、それぞれ、図１における画像読取部２０、画像形成部１０の電気的構成を示す。
【００２８】
操作／音声部６は、ＣＰＵ６０、ＲＯＭ６１、ＲＡＭ６２、入出力ポート６３、シリアル通信制御ユニット６４、タッチパネル６５、ＬＣＤコントローラ６６、ＬＣＤ６７、キー入力部６８、音声データ記憶部６９、音声出力部７０、タイマ部７１により構成される。
【００２９】
ＣＰＵ６０は、ＲＯＭ６１に格納された複写機Ｃの各種操作や表示のための制御プログラムに従って、操作／音声部６内の各部を制御する。ＲＯＭ６１は、ＣＰＵ６０により実行される各種制御プログラムや、これらの制御プログラムで使用されるデータ等を格納する。
【００３０】
ＲＡＭ６２は、ＣＰＵ６０により実行される制御プログラムを、ＲＡＭ６２内のプログラム格納領域に展開するとともに、入力データや、上記各種制御プログラムが実行される際に生じる処理結果等をワークエリアに一時的に格納する。
【００３１】
入出力ポート６３は、ＣＰＵ６０が周辺デバイスとの間で各種データのやり取りを行ったり、周辺デバイスのステータスをＣＰＵ６０が読み取ったりするためのポートである。シリアル通信制御ユニット６４は、本体部５と操作／音声部６との間の通信を制御する。
【００３２】
タッチパネル６５は、ＬＣＤ６７を覆うように設けられ、電磁誘導式、磁気歪式、感圧式等の座標読み取り原理でタッチ指示された座標を検出し、検出した座標を位置信号としてＣＰＵ６０に出力する。
【００３３】
ＬＣＤ（Ｌｉｑｕｉｄ　Ｃｒｙｓｔａｌ　Ｄｉｓｐｌａｙ）コントローラ６６は、ＣＰＵ６０からの表示信号に従って、ＬＣＤ６７における表示の制御を行う。
【００３４】
ＬＣＤ６７は、ＬＣＤコントローラ６６から入力された制御信号に従って、所要の表示を行う。ＬＣＤ６７に表示される基本画面を図３に示す。図３に示した基本画面Ｇの詳細は、後述する。
【００３５】
キー入力部６８は、コピースタートキーやテンキーの他、図３の下部に示すように、画像形成のための各種設定項目の音声ガイダンスの開始を指示するためのＣＨキー（チェックキー）、次の音声ガイダンスを指示するためのＮＥＸＴキー、音声ガイダンスの一時停止を指示するためのＳＴＯＰキー、一つ手前の音声ガイダンスを指示するためのＢＡＣＫキー、画像形成のための各設定項目の内容の変更を指示するための変更キー等のハードキーを備え、これらのキーの押下信号をＣＰＵ６０に出力する。
【００３６】
音声データ記憶部６９は、画像形成のための各設定項目の音声ガイダンスに必要な音声データを記憶している。また、音声データ記憶部６９は、音声ガイダンスが終了した設定項目と、次に音声ガイダンスされる設定項目との区切りを通知するための区切り音データを記憶している。
【００３７】
音声出力部７０は、スピーカ、Ｄ／Ａコンバータ及び増幅器（何れも図示せず）等により構成され、ＣＰＵ６０からの音声出力指示信号に従って、音声データ記憶部６９から取り出された音声データ（音声デジタル信号）をＤ／Ａコンバータによりアナログ信号に変換後、増幅器により所定の音量に増幅して、スピーカから音声として出力する。
【００３８】
タイマ部７１は、ＣＰＵ６０からの制御信号に従って、タイマ値（例えば、２秒間）を設定するとともに、タイマ値が設定された時点からの経過時間を計時し、経過時間が当該タイマ値に達した時、計時が終了した旨を通知する終了信号をＣＰＵ６０に出力する。
【００３９】
図３は、ＬＣＤ６７に表示される基本画面Ｇ及びキー入力部６８における各種キーを示している。図３に示した基本画面Ｇは、複写機Ｃの標準的な使用における各種の操作項目の表示及び当該項目の入力を受け付けるための画面である。
【００４０】
図３において、基本画面Ｇは、メッセージエリア１００、画質／ローテーション表示エリア２００、プリント枚数／設定枚数表示エリア３００、予約ジョブのリストを表示するためのフォルダボタン４００及び画面設定エリア５００を有する。
【００４１】
メッセージエリア１００には、「コピーできます」、「原稿をセットして下さい」等のユーザに対する指示や、「予約リスト表示」のような機械の状態の説明が表示される。
【００４２】
画質／ローテーションエリア２００には、ノーマル、ファイン、スーパーファイン等の画質の表示及び画像の回転がアイコンで表示される。プリント枚数／設定枚数表示エリア３００には、プリント枚数及び設定枚数が表示される。
【００４３】
フォルダボタン４００には、５個の予約ジョブの状況、即ち、出力中（出力ＪＯＢ）、予約済みジョブ（予約ＪＯＢ）、予約設定中のジョブ（設定ＪＯＢ）、読み込み中のジョブ（読込ＪＯＢ）、空いているジョブ（空きＪＯＢ）のように表示される。
【００４４】
画面設定エリア５００には、片面か表面かを選択するための片面／両面選択エリア５０１、画像濃度を設定するためのコピー濃度エリア５０２、複写倍率を設定するための倍率エリア５０３、記録紙のサイズを選択するためのサイズ選択エリア５０４が表示される。
【００４５】
図３の基本画面Ｇにおいて、６００は、出力の種類を選択するためのエリアである。このエリア６００には、ステープル位置を選択するためのステープル選択ボタン６０１、応用出力ボタン６０２（後述）、ソートしてステープルする出力モードのためのステープル／ソートボタン６０３、ソートを選択するためのソートボタン６０４が表示される。応用出力ボタン６０２のタッチ指示により、応用出力画面に切り替わり、パンチ、中折り、Ｚ折り、グルーピング等の機能を選択することができる。
【００４６】
図３の基本画面Ｇにおいて、７００は、応用設定エリアである。この応用設定エリア７００には、応用機能ボタン７０１、画像の回転を設定するためのローテーションボタン７０２、原稿設定ボタン７０３、原稿読込ボタン７０４が表示される。応用設定エリア７００内の各ボタンは、階層表示を行うボタンであり、これらのボタンのタッチ指示により、該当する項目に関する設定画面が呼び出される。
【００４７】
ＬＣＤ６７（又はタッチパネル６５）の外側には、図３に示すように、キー入力部６８が備えるＣＨキー（チェックキー）、ＮＥＸＴキー、ＳＴＯＰキー、ＢＡＣＫキー、変更キー等のハードキーが設けられている。
【００４８】
ＣＨキーの押下により、ＬＣＤ６７には、図４に示すようなチェック画面が表示されるとともに、画像形成条件に関する設定内容の音声ガイダンスが開始される。
【００４９】
図４のチェック画面には、画像形成（コピー）を行うための設定項目及びその設定内容が表示される。画像形成を行うための設定項目としては、図４（ａ）に示すように、コピー枚数、コピーモード、コピー濃度、倍率、ペーパーサイズ、紙種類、フィニッシャー、シフト、原稿画質の他、図４（ｂ）に示すように、インターシート、章分け、合成、小冊子、ＯＨＰ合成、差込みページ等がある。各設定項目の右隣には、対応する設定項目の設定内容が表示される。
【００５０】
図４（ａ）及び（ｂ）に示したように、画像形成を行うための各設定項目を、１つのチェック画面内に表示せず、複数のチェック画面に分けて表示することで、チェック画面内の文字を適度な大きさにすることができる。
【００５１】
各設定内容の音声ガイダンスは、例えば、チェック画面上の一番上のに表示された設定項目から順番に行われる。即ち、図４（ａ）のチェック画面が表示されている場合、「コピー枚数」、「コピーモード」、「コピー濃度」、「倍率」、…の順番に音声ガイダンスが行われる。図４（ａ）の一番下の設定項目「原稿画質」の音声ガイダンスが終了すると、次のチェック画面（図４（ｂ））の一番上に表示された設定項目から、音声ガイダンスが開始される。即ち、図４（ｂ）の「インターシート」、「章分け」、「合成」、「小冊子」、…の順番で音声ガイダンスが行われる。チェック画面の右下の「終了」ボタンのタッチ指示により、音声ガイダンスが終了する。
【００５２】
なお、ＬＣＤ６７の大きさ等によっては、図４（ａ）及び（ｂ）をＬＣＤ６７内に並べて表示してもよいし、図４（ａ）内の設定項目の音声ガイダンスが終了したら、図４（ｂ）のチェック画面に切り替えて表示させることも可能である。
【００５３】
なお、音声ガイダンスが行われる設定内容は、図４のチェック画面に示したコピー出力の形態（出力部数、片面／両面選択、コピー濃度、ペーパーサイズ等）に限定されず、不揮発ＲＡＭ５３に記憶されている、電源立ち上げ機能のデフォルトの設定や、オートリセットまでの時間の設定等、管理者が設定するパラメータを含んでいてもよい。
【００５４】
次に、本実施の形態の動作を説明する。
図５のフローチャートを参照して、複写機Ｃにおいて実行される音声ガイダンス処理について説明する。
【００５５】
キー入力部６８におけるＣＨキーが押下されると（ステップＳ１）、ＬＣＤ６７における表示は、図３の基本画面Ｇから、図４に示すようなチェック画面に切り替わり、音声出力部７０により、チェック画面に表示された画像形成のための各設定項目の音声ガイダンスが開始される（ステップＳ２）。
【００５６】
該当する設定項目の音声ガイダンスが終了すると（ステップＳ３；ＹＥＳ）、タイマ部７１により、タイマ値（例えば、２秒間）がセットされ（ステップＳ４）、計時が開始される。
【００５７】
タイマ部７１による計時が終了すると（ステップＳ５；ＹＥＳ）、音声出力部７０により、例えば、「ピー」という区切り音が出力され（ステップＳ６）、次の設定項目の音声ガイダンスが開始される（ステップＳ７）。
【００５８】
ステップＳ３における音声ガイダンスが終了する前に（ステップＳ３；ＮＯ）、変更キーが押下されると（ステップＳ８；ＹＥＳ）、ＬＣＤ６７に、現在音声ガイダンス中の設定項目の設定画面が表示され（ステップＳ９）、タッチパネル６５におけるタッチ指示やテンキーの操作により、設定の変更が行われる。設定変更が終了すると（ステップＳ１０；ＹＥＳ）、ステップＳ７に移行され、次の設定項目の音声ガイダンスが開始される。
【００５９】
ステップＳ５において、タイマ部７１による計時が終了する前に（ステップＳ５；ＮＯ）、変更キーが押下された場合（ステップＳ８；ＹＥＳ）、ＬＣＤ６７に、直前に音声ガイダンスが行われた設定項目の設定画面が表示され（ステップＳ９）、タッチパネル６５におけるタッチ指示やテンキーの操作により、設定の変更が行われる。
【００６０】
ステップＳ３における音声ガイダンスが終了する前に（ステップＳ３；ＮＯ）、ＢＡＣＫキーが押下されると（ステップＳ１１；ＹＥＳ）、現在の音声ガイダンスが停止され、一つ前の設定項目の音声ガイダンスが開始される（ステップＳ１３）。
【００６１】
ステップＳ３における音声ガイダンスが終了する前に（ステップＳ３；ＮＯ）、ＮＥＸＴキーが押下されると（ステップＳ１２；ＹＥＳ）、現在の音声ガイダンスが停止され、次の設定項目の音声ガイダンスが開始される（ステップＳ７）。
【００６２】
ステップＳ３における音声ガイダンスが終了する前に（ステップＳ３；ＮＯ）、チェック画面内の「終了」ボタンがタッチ指示されると（ステップＳ１４；ＹＥＳ）、本音声ガイダンス処理が終了する。なお、図５のフローチャートでは示さなかったが、音声ガイダンス中にＳＴＯＰキーが押下されると、当該音声ガイダンスは一時停止し、再度、ＳＴＯＰキーが押下されると、当該音声ガイダンスは再開される。
【００６３】
以上のように、本実施の形態の複写機Ｃによれば、画像形成条件を音声にてガイダンスすることにより、目の不自由な方でも、容易に設定内容を確認することができる。また、ユーザがＬＣＤ６７上の画面を切り替えることなく、設定内容の確認を行うことができる。
【００６４】
また、音声ガイダンス中の設定項目の内容が、ユーザの希望に添わない場合、変更キーを押下するだけで、自動的にＬＣＤ６７上に、音声ガイダンス中の設定項目に対応する設定画面が表示されて、設定の変更を可能にすることにより、設定画面を表示させるために、ユーザがわざわざＬＣＤ６７上の画面を切り替えて設定項目を選択する必要がなくなり、操作性が向上する。
【００６５】
更に、音声ガイダンス中の設定項目の内容に変更がなく、後の内容を聞く必要がない場合は、ＮＥＸＴキーの押下により、現在音声ガイダンス中の設定項目を読み飛ばして、次の設定項目の音声ガイダンスが開始されるため、設定変更に要する時間を短縮することができる。
【００６６】
また、音声ガイダンスされた設定項目の内容を聞き逃したり、変更キーの押下操作が遅れたりしても、ＢＡＣＫキーを押下するだけで、一つ前の設定項目に戻り、前の設定項目の内容を再度聞いたり、前の設定項目の内容の変更を行うことができる。
【００６７】
更に、一つの項目の音声ガイダンスが終了する度に、タイマ部７１により所定時間（例えば、２秒間）タイマ値がセットされることで、ユーザは、この時間を利用して、当該設定項目の内容に変更が必要か否かを判断することができる。
【００６８】
また、次の設定項目の音声ガイダンスに移行する前に、直前に音声ガイダンスされた設定項目と、次に音声ガイダンスされる設定項目との区切りを示す区切り音を出力することで、ユーザにとって、設定項目の確認や変更がより行い易くなる。
【００６９】
なお、本実施における記述内容は、本発明の趣旨を逸脱しない範囲で適宜変更可能である。
【００７０】
【発明の効果】
請求項１記載の発明によれば、画像形成条件を音声にて出力することにより、目の不自由な方でも、容易に画像形成条件を確認することができる。また、画像形成条件の音声出力が行われている最中又は画像形成条件の音声出力が終了してから所定時間内の何れかの場合に、変更指示手段による変更指示を行うだけで、自動的に当該画像形成条件の変更を行うための画面が表示されることにより、画像形成条件の変更を行うために、ユーザがわざわざ表示画面の切り替え等を行う必要がなくなり、操作性が向上する。
【００７１】
請求項２記載の発明によれば、請求項１記載の発明の効果に加えて、画像形成条件の音声出力中に、出力指示手段による指示があると、音声出力順で次の画像形成条件の音声出力が開始されるため、画像形成条件の変更等に要する時間を短縮することができる。
【００７２】
請求項３記載の発明によれば、請求項１記載の発明の効果に加えて、画像形成条件の音声出力中に、出力指示手段による指示があると、音声出力順で１つ前の画像形成条件の音声出力が開始されるため、直前に音声出力された画像形成条件の内容を聞き逃したり、変更指示手段による変更指示が遅れたりしても、直前に音声出力された画像形成条件の内容を再度聞いたり、変更を行うことができる。
【００７３】
請求項４記載の発明によれば、請求項２又は３記載の発明の効果に加えて、音声出力が終了した画像形成条件と、次に音声出力される画像形成条件の間の区切りを示す区切り音を出力することにより、ユーザにとって、画像形成条件の確認や変更が、より行い易くなる。
【００７４】
請求項５記載の発明によれば、請求項２又は３記載の発明の効果に加えて、音声出力手段による画像形成条件の音声出力が終了した後に、所定時間計時する計時手段を備えることにより、ユーザは、この所定時間を利用して、当該画像形成条件に変更が必要か否か等の様々な判断を下すことができる。
【００７５】
請求項６記載の発明によれば、請求項５記載の発明の効果に加えて、画像形成条件の音声出力が終了した後であっても、計時手段による計時終了前であれば、当該画像形成条件の設定を変更することができ、画像形成条件の変更における利便性を向上させることができる。
【図面の簡単な説明】
【図１】本発明の画像形成装置を適用した複写機Ｃの断面図である。
【図２】本実施の形態の複写機Ｃの電気的構成を示すブロック図である。
【図３】複写機ＣのＬＣＤ６７に表示される基本画面Ｇと、キー入力部６８が備える各種キーを示す図である。
【図４】ＬＣＤ６７に表示されるチェック画面を示す図である。
【図５】複写機Ｃにおいて実行される音声ガイダンス処理を示すフローチャートである。
【符号の説明】
１０　　画像形成部
１１　　感光体
１２　　像形成ユニット
１３　　給紙部
１４　　記録紙反転部
１５　　定着器
２０　　画像読取部
２１　　原稿給紙台
２２　　プラテンローラ
２３　　原稿排紙台
２４　　イメージセンサ
３０　　後処理部
５　　　本体部
５０　　ＣＰＵ
５１　　ＲＯＭ
５２　　ＲＡＭ
５３　　不揮発ＲＡＭ
５４　　入出力ポート
５５　　シリアル通信制御ユニット
５６　　画像読取部
５７　　画像形成部
６　　　操作／音声部
６０　　ＣＰＵ
６１　　ＲＯＭ
６２　　ＲＡＭ
６３　　入出力ポート
６４　　シリアル通信ユニット
６５　　タッチパネル
６６　　ＬＣＤコントローラ
６７　　ＬＣＤ
６８　　キー入力部
６９　　音声データ記憶部
７０　　音声出力部
７１　　タイマ部
Ｃ　複写機
Ｇ　基本画面
【図１】
2004070114.tif 000003
【図２】
2004070114.tif 000004
【図３】
2004070114.tif 000005
【図４】
2004070114.tif 000006
【図５】
2004070114.tif 000007